(57)【要約】【課題】パッキンにより高い防水性能が確保された灯器および防水構造を提供する。【解決手段】光の照射口２５の周辺部と照射口２５を覆う透光板２６とが対向する部分の間に、照射口２５を一周する環状で弾性を有するパッキン３０を挟み込む防水構造であって、パッキン３０には、照射口２５の周辺部との接触面に当該パッキン３０に沿って一周する凸部３２を設け、照射口２５の周辺部のパッキン３０との接触面には、パッキン３０の凸部３２に沿って照射口２５を一周する本体側凸部２７を設ける。取り付け状態では、凸部３２は潰れて接触面積の増加と復元力による押し付け力の強化に貢献する。本体側凸部２７は浸水を防ぐ防波堤になると共に、パッキン３０に埋め込まれて接触面積の増加と復元力による押し付け力の強化に貢献する。【選択図】図８
2014036004.tif 000002
【特許請求の範囲】
【請求項１】
光の照射口が開口された本体と、
前記本体に収容された発光部と、
前記照射口を覆う透光板と、
前記照射口の周辺部と前記照射口を覆う前記透光板とが対向する部分の間に挟まれて前記照射口を一周する環状で弾性を有するパッキンと、
前記透光板と前記周辺部との間で前記パッキンが押圧されるようにして前記透光板を固定する固定部と、
を有し、
前記パッキンは、前記照射口の周辺部との接触面に当該パッキンに沿って一周する凸部を有し、
前記照射口の周辺部の前記パッキンとの接触面には、前記パッキンの凸部と位置をずらして前記照射口の周辺部を一周する凸部を有する
ことを特徴とする灯器。
【請求項２】
前記パッキンの凸部は先端の尖った断面形状を有し、
前記照射口の周辺部の凸部は、先端が丸みを帯びた断面形状を有する
ことを特徴とする請求項１に記載の灯器。
【請求項３】
前記パッキンはその環の内側に沿って一周する溝部を有し、この溝部に前記透光板の周縁が密に嵌め込まれて前記透光板に外嵌される
ことを特徴とする請求項１または２に記載の灯器。
【請求項４】
前記パッキンの凸部は複数本設けられ、
前記照射口の周辺部の凸部は、前記パッキンの凸部と交互に嵌り合うように複数本設けられる
ことを特徴とする請求項１乃至３のいずれか１つに記載の灯器。
【請求項５】
前記固定部は、前記透光板の周縁の一部を、前記照射口の周辺部と反対側から押圧して、前記透光板を固定する
ことを特徴とする請求項１乃至４のいずれか１つに記載の灯器。
【請求項６】
物体と物体との間に弾性を有するパッキンを挟む防水構造であって、
前記パッキンは、前記物体との接触面に、該パッキンに沿って延びる凸部を有し、
前記物体は、前記パッキンとの接触面に、前記パッキンの凸部と位置をずらして前記パッキンに沿って延びる凸部を有する
ことを特徴とする防水構造。
【請求項７】
前記パッキンの凸部は先端の尖った断面形状を有し、
前記物体の凸部は先端が丸みを帯びた断面形状を有する
ことを特徴とする請求項６に記載の防水構造。
【発明の詳細な説明】
【技術分野】
【０００１】
本発明は、パッキンにより防水された灯器および防水構造に関する。
【背景技術】
【０００２】
街路灯など屋外に設置される灯器では、発光部や駆動回路などを保護するために防水性が要求される。たとえば、本体に開口された光の照射口とこの照射口を覆うガラス板などの透光板との境界部での防水性を確保するために、これらの境界にゴム等のパッキンが嵌め込まれる（特許文献１参照。）。
【先行技術文献】
【特許文献】
【０００３】
【特許文献１】特開２００４−１１１２８４号公報
【特許文献２】特許第４３７１９０２号
【発明の概要】
【発明が解決しようとする課題】
【０００４】
通常、パッキンの接触面は平坦であり、このようなパッキンの場合、十分な力でパッキンを押し付けなければ防水性を確保できず、押し付け力の不足は防水不良の原因になる。
【０００５】
特許文献１に開示の防雨型照明器具では、パッキンの外面に突起を設けると共に、これに対応する凹部を器具側の接触面に設けている。この構成では、平坦な接触面に比べて接触面積が増えるので、ある程度の防水性能の向上は期待できる。しかし、大部分は平坦な接触面での接触であり、また、凹部に突起が嵌り込むので、突起の潰れも少なく、押し付け力は増加しない。
【０００６】
本発明は、上記の問題を解決しようとするものであり、パッキンにより高い防水性能が確保された灯器および防水構造を提供することを目的としている。
【課題を解決するための手段】
【０００７】
かかる目的を達成するための本発明の要旨とするところは、次の各項の発明に存する。
【０００８】
［１］光の照射口が開口された本体と、
前記本体に収容された発光部と、
前記照射口を覆う透光板と、
前記照射口の周辺部と前記照射口を覆う前記透光板とが対向する部分の間に挟まれて前記照射口を一周する環状で弾性を有するパッキンと、
前記透光板と前記周辺部との間で前記パッキンが押圧されるようにして前記透光板を固定する固定部と、
を有し、
前記パッキンは、前記照射口の周辺部との接触面に当該パッキンに沿って一周する凸部を有し、
前記照射口の周辺部の前記パッキンとの接触面には、前記パッキンの凸部と位置をずらして前記照射口の周辺部を一周する凸部を有する
ことを特徴とする灯器。
【０００９】
上記発明では、透光板と照射口の周辺部との間でパッキンが押圧されるようにして透光板を照射口に取り付けたとき、パッキンに設けた凸部は照射口の周辺部との接触面に当接して潰れて、接触面積が増加し、また潰れた凸部の復元力によってパッキンを照射口の周辺部に押し付ける押し付け力が強化される。一方、照射口の周辺部に設けた凸部は、パッキンを押圧してパッキンを凹ませ、パッキンの中に埋め込まれる。これにより、接触面積が増加し、またパッキンの復元力によって押し付け力が強化される。さらに、照射口の周辺部に設けた凸部は浸水を防止する防波堤として機能する。これらにより高い防水性能が確保される。
【００１０】
［２］前記パッキンの凸部は先端の尖った断面形状を有し、
前記照射口の周辺部の凸部は、先端が丸みを帯びた断面形状を有する
ことを特徴とする［１］に記載の灯器。
【００１１】
上記発明では、パッキンの凸部は先端の尖った断面形状なので潰れやすくなり、照射口の周辺部の凸部は先端が丸みを帯びた断面形状を有するので、パッキンに損傷を与えることなくパッキンを凹ませてパッキンの中に埋め込まれる。
【００１２】
［３］前記パッキンはその環の内側に沿って一周する溝部を有し、この溝部に前記透光板の周縁が密に嵌め込まれて前記透光板に外嵌される
ことを特徴とする［１］または［２］に記載の灯器。
【００１３】
上記発明では、溝部の中に透光板の周縁が挟みこまれるので、パッキンと透光板との間の防水性が高められる。また、パッキン側の凸部および照射口の周辺部の凸部によってパッキンは応力を受けるので、溝部の内壁が透光板を押圧してそれらの密着が高まり、パッキンと透光板との間の防水性能が向上する。
【００１４】
［４］前記パッキンの凸部は複数本設けられ、
前記照射口の周辺部の凸部は、前記パッキンの凸部と交互に嵌り合うように複数本設けられる
ことを特徴とする［１］乃至［３］のいずれか１つに記載の灯器。
【００１５】
上記発明では、照射口の周辺部の凸部とパッキンの凸部とが交互に嵌り合うことで、さらに防水性能が向上する。
【００１６】
［５］前記固定部は、前記透光板の周縁の一部を、前記照射口の周辺部と反対側から押圧して、前記透光板を固定する
ことを特徴とする［１］乃至［４］のいずれか１つに記載の灯器。
【００１７】
上記発明では、凸部を設けたことにより防水性能が強化されるので、透光板の周縁の全周を固定部で固定しなくて済み、それにより、固定部を小型・簡素にすることができる。
【００１８】
［６］物体と物体との間に弾性を有するパッキンを挟む防水構造であって、
前記パッキンは、前記物体との接触面に、該パッキンに沿って延びる凸部を有し、
前記物体は、前記パッキンとの接触面に、前記パッキンの凸部と位置をずらして前記パッキンに沿って延びる凸部を有する
ことを特徴とする防水構造。
【００１９】
上記発明では、パッキンに設けた凸部は物体の接触面に押圧されて潰れることで、接触面積の増加および潰れた凸部の復元力によりパッキンと物体との押し付け力が強化される。一方、物体側に設けた凸部は、パッキンを押圧してパッキンを凹ませてその中に埋め込まれ、接触面積の増加および復元力による押し付け力の強化に貢献する。また、浸水を防止する防波堤として機能する。これらにより高い防水性能が確保される。
【００２０】
［７］前記パッキンの凸部は先端の尖った断面形状を有し、
前記物体の凸部は先端が丸みを帯びた断面形状を有する
ことを特徴とする［６］に記載の防水構造。
【００２１】
上記発明では、パッキンの凸部は先端が尖った断面形状により潰れやすくなり、物体側の凸部は先端が丸みを帯びた断面形状を有するので、パッキンに損傷を与えることなくパッキンを凹ませて埋め込まれる。
【発明の効果】
【００２２】
本発明に係る灯器および防水構造によれば、パッキンにより高い防水性能を確保することができる。
【図面の簡単な説明】
【００２３】
【図１】本発明の実施の形態に係る灯器を有する街路灯を示す説明図である。
【図２】本発明の実施の形態に係る灯器を示す斜視図である。
【図３】本発明の実施の形態に係る灯器の正面、下面、上面、背面、側面を示す図である。
【図４】本発明の実施の形態に係る灯器の本体底面部（透光板の取り付け前）を示す斜視図である。
【図５】本発明の実施の形態に係る灯器のパッキンを示す正面図である。
【図６】図５に示すパッキンのＡ−Ａ断面を示す図である。
【図７】透光板を取り付けた状態の本体底面部の上面図である。
【図８】透光板を取り付けた状態の本体底面部のＢ−Ｂ断面を示す図である。
【図９】透光板の取り付け前後におけるパッキン側の凸部と照射口の周辺部に設けた本体側凸部の状態を示す断面図である。
【発明を実施するための形態】
【００２４】
以下、図面に基づき本発明の実施の形態を説明する。
【００２５】
図１は、本発明の実施の形態に係る灯器１０を含む街路灯２の上端近傍部分を示す図である。街路灯２は、道路の脇や交差点の隅などに設置されて、上方から道路およびその周辺を照明する機能を果たす。街路灯２は、地面から鉛直に立設された支柱３と、支柱３の上端に取り付けられて下方を照明する灯器１０とから構成される。
【００２６】
図２は、灯器１０を斜め前方上方から見た斜視図である。図３は、灯器１０の正面、下面、上面、背面、側面を示す。灯器１０は、下面側に光の照射口を有する筐体１１と、この筐体１１に収容された複数の発光モジュールと、発光モジュールを駆動する図示省略の制御回路などで構成される。
【００２７】
灯器１０の筐体１１は、本体部２０と、上蓋部４０と、開閉カバー１２とから構成される。本体部２０は、灯器１０を支柱３に固定するための金具や発光モジュールの制御回路を収容する基部２１と、基部２１から前方へ延設された本体底面部２２とから構成される。開閉カバー１２は、基部２１の上面を開閉可能に覆う。
【００２８】
上蓋部４０は、本体底面部２２の上に被せてネジ止めされ、本体底面部２２と組み合わされて略長方形の薄い中空の箱形状を形成する。この中に発光モジュールが収容される。
【００２９】
本体部２０（透光板２６を除く）、上蓋部４０、開閉カバー１２はそれぞれ、溶かした金属を鋳型に流し込み、冷却、凝固させて製作された鋳造品である。
【００３０】
図４は、本体部２０を示す斜視図である。基部２１から延びる本体底面部２２は、横長の略長方形の平らな底板部２３と、その周縁から上向きに立設された側壁２４と、底板部２３の中央に開口された該底板部２３より一回り小さい略長方形の照射口２５と、この照射口２５を内側から覆うようにパッキン３０を挟んで取り付けられる透光板２６とを備えて構成される。透光板２６は、光を透過する板状部材であり、ガラスや樹脂などで構成される。図４はパッキン３０および透光板２６を取り外した状態を示している。
【００３１】
照射口２５の周辺部を成す底板部２３の内側面には、照射口２５に沿って照射口２５の外側を一周する環状の凸部（本体側凸部２７とする）が、一回りずつ大きくなるように、３重にして、３本設けてある。
【００３２】
図５は、パッキン３０の平面図、図６はパッキン３０のＡ−Ａ断面図である。パッキン３０は、照射口２５より一回り大きな環状であって、弾性を有するゴムなどで形成される。パッキン３０のＡ−Ａ断面は、略コの字型を成しており、コの字の一方の腕の外面に外側へ突起する２つの凸部３２を有する。
【００３３】
断面コの字型における凹部は、パッキン３０をその環の内側に沿って一周する溝部３１を成している。パッキン３０は、この溝部３１に透光板２６の周縁が密に嵌め込まれて透光板２６に外嵌される。また、前述の２つの凸部３２は、パッキン３０の長さ方向に沿って一周する環状に形成されており、内周側と外周側の２本の環状突起となっている。
【００３４】
図７は、パッキン３０の外嵌された透光板２６を固定板２８により、本体底面部２２に取り付けた状態を示している。図８は、図７のＢ−Ｂ断面を示している。
【００３５】
パッキン３０の外嵌された透光板２６を照射口２５を覆うようにして載せる。詳細には、パッキン３０の凸部３２を本体底面部２２の底板部２３側に向け、かつ、照射口２５の周囲に設けた本体側凸部２７の上にパッキン３０が載るようにして、透光板２６を載置して照射口２５を覆う。その後、固定板２８をパッキン３０の上に載せ、この固定板２８でパッキン３０を底板部２３に向けて押圧した状態で、固定板２８をネジ２９で本体底面部２２に取り付ける。
【００３６】
ここでは、図７に示すように、固定板２８は、略長方形の環状を成したパッキン３０の長辺部分のみに設けられており、角の部分および短辺部分は固定板２８で押圧されていない。
【００３７】
図９は、透光板の取り付け前後におけるパッキン３０側の凸部３２と照射口２５の周辺部に設けた本体側凸部２７の状態を示す断面図である。同図（ａ）に示すように、パッキン３０側の２本の凸部３２と、照射口２５の周辺部に設けた３本の本体側凸部２７とは、対向しないように、位置をずらしてあり、丁度、交互に嵌りあう位置関係にされている。パッキン３０の凸部３２は、先端の尖った断面形状を成している。ここでは、先端が尖った凸部３２の断面形状として三角形を例示するが、この形状に限定されるものではない。一方、照射口２５の周辺部に設けた３本の本体側凸部２７は、先端が丸みを帯びた断面形状を成している。ここでは、先端が丸みを帯びた断面形状として略半円形を例示するが、この形状に限定されるものではない。
【００３８】
同図（ａ）の状態から固定板２８によってパッキン３０を本体底面部２２の底板部２３側に向けて押さえ込むと、パッキン３０の凸部３２は弾性変形により潰れてほぼ平らになり、本体底面部２２の底板部２３と潰れて平らになった凸部３２とが密着する（同図（ｂ））。この密着力は、弾性変形した凸部３２の復元力が加わって強化されている。なお、凸部３２は先端が尖った断面形状を成しているので、先端部分が潰れ易く、平らになり易い。
【００３９】
一方、本体側凸部２７に押圧された箇所のパッキン３０は、本体側凸部２７の形状に合わせて凹むように弾性変形し、本体側凸部２７の表面全体とほぼ密着する（同図（ｂ））。この密着力も、本体側凸部２７に押されて弾性変形したパッキン３０の復元力が加わって強められている。また、本体側凸部２７は浸水を防止する防波堤としての役目を果たし、防水性能の向上に寄与する。なお、本体側凸部２７は先端が丸みを帯びた断面形状を成しているので、パッキン３０に損傷を与えることなく、パッキン３０を凹ませて容易に弾性変形させることができる。また、パッキン３０は本体側凸部２７の先端形状に合わせて緩やかなカーブで凹めば良いので、凹んだパッキン３０と本体側凸部２７とが隙間無く密着する。
【００４０】
このように、本発明の実施の形態に係る灯器１０では、パッキン３０に凸部３２を設けると共に、本体底面部２２の照射口２５の周辺に本体側凸部２７を設けることで、パッキン３０と本体底面部２２の底板部２３との接触面積を増やし、かつ、弾性変形の復元力を利用してパッキン３０と底板部２３との強い押し付け力が生じるので、高い防水性能を発揮することができる。
【００４１】
なお、透光板２６の周縁はパッキン３０の溝部３１に押し込まれて溝部３１の内壁に広い接触面積で密着する。また、パッキン３０側の凸部３２の潰れや本体側凸部２７の押し込みによって凹んだパッキン３０の復元力は、溝部３１の内面を透光板２６に押し付ける力として作用するので、透光板２６の周縁と溝部３１との密着力を高めて、この部分での防水性能が高められる。
【００４２】
本実施の形態に係る灯器１０では、上記の防水構造を採用することで、固定板２８をパッキン３０の長辺側にのみ設けても十分な防水性能が確保される。これにより、固定板２８は、単なる細長い長方形の金属片等で済み、環状に形成する場合に比べて、小型で簡素なものになる。特に、パッキン３０の角部を固定板２８で押さえ込む必要がないので、構造が簡素化される。
【００４３】
＜防水構造＞
灯器１０に採用した、凸部３２を有するパッキン３０と、本体側凸部２７を設けた本体底面部２２内面との間の防水構造は、灯器１０以外の防水を要する各種の製品に適用することができる。すなわち、物体と物体との間に弾性を有するパッキンを挟む防水構造であって、パッキンは、物体との接触面に該パッキンに沿って延びる凸部を有し、物体はパッキンとの接触面に、パッキンの凸部と位置をずらしてパッキンに沿って延びる凸部を有する防水構造であれば、灯器１０を例に説明した場合と同様の防水効果を得ることができる。この防水構造は、たとえば、カメラの防水ジャケットや水槽などに適用されてもよい。
【００４４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４５】
灯器１０は街路灯２に限定されない。また、筐体１１の形状は実施の形態で例示したものに限らず、任意でよい。発光モジュール６０はＬＥＤで構成されたものに限らず、他の方式の発光体でもよい。
【００４６】
パッキン３０に設けた凸部３２や本体側凸部２７の数（本数）は、実施の形態で例示した数に限定されない。最小では、それぞれ１つずつであってもよい。好ましくは、凸部３２の数＋１＝本体側凸部２７の数、として交互に配置するとよい。
【００４７】
また、パッキン３０側の凸部３２と本体底面部２２側の本体側凸部２７との位置関係は、実施の形態で示したように、互いに隣接して交互となる位置関係に限定されない。凸部３２と本体側凸部２７がある程度はなれて、これらの間に双方の接触面が平滑面となる平坦な部分が存在してもかまわない。
【００４８】
パッキン３０側の凸部３２の形状は、先端の尖った断面形状とすることが好ましいが、これに限定されない。ただし、潰れ易い形状が望ましい。本体側凸部２７の断面形状は、先端が丸みを帯びた断面形状とすることが好ましいが、これに限定されない。ただし、パッキン３０に損傷を与えずに、パッキン３０を凹ませ易い緩やかな形状が望ましい。
【００４９】
また、凸部３２および本体側凸部２７の高さや幅は、パッキン３０の弾性等に応じて適宜に設定すればよい。取り付けたときに凸部３２が完全に潰れて平らになり、本体側凸部２７が完全にパッキン３０に埋め込まれ、パッキン３０と本体底面部２２側の底板部２３とが隙間なく密着するような断面形状（高さや幅）とすることが好ましい。
【００５０】
また、固定板２８で押さえ込む箇所は実施の形態で例示した箇所に限定されず、任意でよい。パッキン３０の全周を押さえ込むものであってもよい。
【符号の説明】
【００５１】
２…街路灯
３…支柱
１０…灯器
１１…筐体
１２…開閉カバー
２０…本体部
２１…基部
２２…本体底面部
２３…底板部
２４…側壁
２５…照射口
２６…透光板
２７…本体側凸部
２８…固定板
２９…ネジ
３０…パッキン
３１…溝部
３２…凸部
４０…上蓋部
【図１】
2014036004.tif 000003
【図２】
2014036004.tif 000004
【図３】
2014036004.tif 000005
【図４】
2014036004.tif 000006
【図５】
2014036004.tif 000007
【図６】
2014036004.tif 000008
【図７】
2014036004.tif 000009
【図８】
2014036004.tif 000010
【図９】
2014036004.tif 000011